(57)【特許請求の範囲】
【請求項１】
第１スキャン電極と、この第１スキャン電極と交差される方向に形成されたアドレス電極を夫々有する複数の放電セルと、
それら複数の放電セルを夫々分離するための隔壁と、
前記アドレス電極と交差される方向に形成されて、前記隔壁の先端部に対向するように形成される維持電極とを備え、
前記隔壁に対向する位置に、前記第１スキャン電極を有する放電セルに隣接する放電セルのスキャン電極である第２スキャン電極が形成され、この第２スキャン電極は、前記第１スキャン電極と前記隔壁との間に形成される
ことを特徴とするプラズマディスプレイパネル。
【請求項２】
前記第１スキャン電極がＭ個形成され、前記維持電極はＭ／２個形成されることを特徴とする請求項１記載のプラズマディスプレイパネル。
【請求項３】
前記隔壁は、
ウエルタイプに形成されることを特徴とする請求項１記載のプラズマディスプレイパネル。
【請求項４】
前記維持電極は、
プラズマディスプレイパネルの上部ガラス基板上に形成される透明電極と、
その透明電極の所定部分に形成される金属バス電極とから構成されて、金属バス電極は、前記隔壁の先端部に対向するように形成されることを特徴とする請求項１記載のプラズマディスプレイパネル。
【請求項５】
前記金属バス電極は、
前記透明電極の中心部を沿って形成されることを特徴とする請求項４記載のプラズマディスプレイパネル。
【請求項６】
前記第１スキャン電極は、
プラズマディスプレイパネルの上部ガラス基板上に形成される透明電極と、
その透明電極の所定部分に形成される金属バス電極とから構成され、
前記第１スキャン電極の幅は、
前記維持電極の透明電極の幅の半分であることを特徴とする請求項４記載のプラズマディスプレイパネル。
【請求項７】
前記第１スキャン電極の透明電極及び前記維持電極の透明電極は、
複数の空隙部を有することを特徴とする請求項６記載のプラズマディスプレイパネル。
【請求項８】
前記複数の放電セル中何れか一つのセル内に位置する前記第１スキャン電極と前記一つのセルに隣接したセルの維持電極間のギャップは、
前記一つのセル内に位置した前記第１スキャン電極及び維持電極のギャップより大きいことを特徴とする請求項１記載のプラズマディスプレイパネル。
【請求項９】
前記第２スキャン電極は、
透明電極と、
その透明電極の所定部分に形成される金属バス電極とから構成され、前記第２スキャン電極と前記第１スキャン電極は、前記隔壁の先端部に誘電体を介して重畳されることを特徴とする請求項１記載のプラズマディスプレイパネル。
【請求項１０】
前記第２スキャン電極の金属バス電極は、
前記第１スキャン電極の金属バス電極と前記隔壁との間に対向するように位置することを特徴とする請求項９記載のプラズマディスプレイパネル。
【請求項１１】
前記第１スキャン電極は、
前記維持電極と同様な高さに位置することを特徴とする請求項１記載のプラズマディスプレイパネル。
【請求項１２】
前記複数の放電セル中何れか一つの放電セルに形成された前記第１スキャン電極及び前記維持電極のギャップは、
前記一つのセルに隣接したセルに形成された前記第１スキャン電極及び前記維持電極のギャップと相異に設定されることを特徴とする請求項１記載のプラズマディスプレイパネル。
【請求項１３】
前記複数の放電セル中何れか一つのセルに形成された前記第１スキャン電極及び前記維持電極のギャップは、
前記一つのセルに隣接したセルに形成された前記第１スキャン電極及び前記維持電極のギャップと交番的に相異に設定されることを特徴とする請求項１記載のプラズマディスプレイパネル。
【請求項１４】
前記維持電極と前記隔壁との間に、前記維持電極を有する放電セルに隣接する放電セルの維持電極である第２維持電極が形成される
ことを特徴とする請求項１記載のプラズマディスプレイパネル。
【請求項１５】
前記第２維持電極は、
透明電極と、
その透明電極の所定部分に形成される金属バス電極と、から構成されて、前記第２維持電極と前記維持電極は、前記隔壁の先端部に誘電体を介して重畳されることを特徴とする請求項１４記載のプラズマディスプレイパネル。
【請求項１６】
前記第２維持電極の金属バス電極と前記維持電極の金属バス電極は、
前記隔壁の先端部に対向するように位置することを特徴とする請求項１５記載のプラズマディスプレイパネル。
【発明の詳細な説明】
【０００１】
【発明の属する技術分野】
本発明は、プラズマディスプレイパネルに係るもので、詳しくは、開口率を増加させて、アラインを容易にし得るプラズマディスプレイパネルに関するものである。
【０００２】
【従来の技術】
一般に、プラズマディスプレイパネル（ＰＤＰ）は、Ｈｅ＋Ｘｅ、Ｎｅ＋Ｘｅ、Ｈｅ＋Ｎｅ＋Ｘｅなどのガスが放電する時に発生する１４７ｎｍの真空紫外線（Ｖｕｖ）により、蛍光体から光を放出させて、文字またはグラフィックを含んだ画像を表示する。ＰＤＰは、薄型化と大型化が容易であるため、大面積の平板ディスプレイとして注目を浴びている。
【０００３】
図９（Ａ）及び図９（Ｂ）は、従来３電極交流方式のＰＤＰの構造を示した図である。
図示したように、ＰＤＰは、下部ガラス基板１と、その上方に所定ギャップはなして配向に配置された上部ガラス基板７とを備えている。下部ガラス基板１は、その上の所定部分に互いに平行に一定のギャップで形成されるアドレス電極２と、アドレス電極２を覆うように下部ガラス基板１の全面に形成される下部誘電体層９と、複数の放電セルを夫々分割するために下部誘電体層９上の所定部分に設けられた隔壁３と、隔壁３上に所定厚さで形成されて、紫外線の供給を受けて、夫々赤色、緑色、青色の可視光を放出する蛍光層８とを備えている。一方、上部ガラス基板７は、アドレス電極２と直交するように上部ガラス基板７の所定部分に形成されるスキャン電極６−１及び維持電極６−２と、スキャン電極６−１、維持電極６−２を覆うように上部ガラス基板７の全面に形成される上部誘電体層５と、上部誘電体層５を保護するために上部誘電体層５上に形成される保護層４とを備えている。スキャン電極６−１は、上部ガラス基板７の所定部分上に形成される透明電極６−１Ａと、透明電極６−１Ａ上の所定部分に形成される金属バス電極６−１Ｂとから構成されている。また、同様に維持電極６−２も、上部ガラス基板２上の所定部分に形成される透明電極６−２Ａと、透明電極６−２Ａ上の所定部分に形成される金属バス電極６−２Ｂとから構成されている。このスキャン電極６−１と維持電極６−２を維持電極対６−１、６−２と称する。スキャン電極６−１と維持電極６−２からなる維持電極対は金属バス電極６−１Ｂ、６−２Ｂともども一つのセルの放電空間に配置される。
【０００４】
以下、このような従来プラズマディスプレイパネルの動作に対して説明する。
所定ギャップで平行に配置される上部ガラス基板７と下部ガラス基板１は、それら間の放電空間に注入された混合ガスを保持している。混合ガスが放電する時、光を放出する蛍光層８が隔壁３上に塗布されている。
【０００５】
上部ガラス基板７上には、上部誘電体層５と保護層４が順次積層されて、上部ガラス基板７と上部誘電体層５の間に形成された金属バス電極６−１Ｂ、６−２Ｂと、透明電極６−１Ａ、６−１Ａとから構成された維持電極対６−１、６−２が、アドレス電極２と垂直方向に並んで配置される。前記したように、上部ガラス基板７上には透明電極６−１Ａ、６−２Ａが形成され、それらの透明電極６−１Ａ、６−２Ａの所定部分上に金属バス電極６−１Ｂ、６−２Ｂが形成されている。
【０００６】
下部ガラス基板１にはアドレス電極２が形成され、下部ガラス基板１とアドレス電極２の全面には下部誘電体層９が積層されている。下部誘電体層９上にはアドレス電極２を間に置いて隔壁３が互いに平行に、かつアドレス電極と平行に延びている。
【０００７】
下部誘電体層９上に形成された隔壁３は、各セル間の電気的及び光学的干渉を遮断し、各上部及び下部ガラス基板１、７間に形成されて、セル内部に放電空間を形成している。
【０００８】
隔壁３上に塗布される蛍光層８は、放電空間内のガスが放電する時に発生する短い波長の真空紫外線により励起されて、３種類の色の可視光線を発生する。よって、各セルから光の三原色である赤色、緑色、青色の光が夫々放出される。
【０００９】
上部及び下部誘電体層５、９は、ガスが放電する時、電荷を蓄積する。保護層４は、ガスが放電する時、各プラズマ粒子のスパッタリング現象から上部誘電体層５を保護する。保護層５は主に酸化マグネシウムで形成される。
【００１０】
維持電極対６−１、６−２は、アドレス放電に引き続いて維持電極対６−１、６−２の間に印加された電圧により放電を起こさせ、その放電を維持させる。維持電極対６−１、６−２を夫々形成する透明電極６−１Ａ、６−２Ａは、光透過率が９０％以上の透明な導電性物質（例えば、ＩＴＯ）で形成され、蛍光層８から放出された可視光をほとんど通過させる。しかし、ＩＴＯのような物質は、光透過率が高い反面、導電率が低くて抵抗値が非常に大きいため、電力が効率的に伝達されない。このような問題を解決するために、透明電極６−１Ａ、６−２Ａ上には、ＡｇやＣｕなどのように、導電性の高い物質で形成された金属バス電極６−１Ｂ、６−２Ｂを形成することになっている。金属バス電極６−１Ｂ、６−２Ｂは、維持電極対６−１、６−２の抵抗値を低下させて、透明電極６−１Ａ、６−２Ａの高い抵抗による電圧降下を防止する。
【００１１】
一方、他の従来プラズマディスプレイパネル及びその製造方法においては、１９９８年１１月１７日に登録された米国特許番号５，８３８，１０６、２００１年６月５日に登録された米国特許番号６，２４２，８５９及び２００２年２月５日に登録された米国特許番号６，３４４，０８０に詳細に記載されている。
【００１２】
【発明が解決しようとする課題】
然るに、従来のＰＤＰにおいては、上記のように、一つのセルの放電空間の上側、すなわち観測側に金属バス電極６−１Ｂ、６−２Ｂが形成されているので、それによって放電空間から放出される可視光の一部分が遮断される。したがって、ＰＤＰの輝度及び効率が減少するという不都合な点があった。
【００１３】
すなわち、従来のＰＤＰにおいては、一つのセルの放電空間の上側に金属バス電極６−１Ｂ、６−２Ｂが形成されているので、開口率を減少させることになっていた。
【００１４】
本発明は、このような従来の課題に鑑みてなされたもので、開口率を増加させて、アラインを容易にし得るプラズマディスプレイパネルを提供することを目的とする。
【００１５】
且つ、格子状の隔壁を採用して、開口率を向上し得るプラズマディスプレイパネルを提供することを目的とする。
【００１６】
さらに、セルが均一に見えると共に、静電容量の増加やセルの大きさの減少を最小化させて、同時に金属バス電極を共有し得るようにしたプラズマディスプレイパネルを提供することを目的とする。
【００１７】
【課題を解決するための手段】
このような目的を達成するため、本発明に係るプラズマディスプレイパネルは、複数の放電セルと、それら複数の放電セルを分離するために形成された隔壁の先端部に対応するように形成される金属バス電極とを備えている。
【００１８】
【発明の実施の形態】
以下、複数の放電セルを夫々分離するために形成された隔壁の先端部に対応するように金属バス電極を形成することで、開口率を増加させ、アラインを容易にし、セルが均一に見えると共に、静電容量の増加及びセル大きさの減少を最小化して、同時に金属バス電極を共有し得るプラズマディスプレイパネルの実施形態に対し、図１〜図８を用いて説明する。
【００１９】
図１は、本発明に係るプラズマディスプレイパネル（ＰＤＰ）の第１参考例の構造を示した平面図で、図１は図２を用いて説明する。
図２は、図１に示したＡ−Ａ’を沿って切り取ったＰＤＰを示した断面図である。
図示されたように、本発明に係るＰＤＰの第１参考例は、下部ガラス基板５０と上部ガラス基板４３とを備えている。下部ガラス基板５０は、その上に形成されるアドレス電極４９と、アドレス電極４９上に形成される下部誘電体層４８と、複数の放電セルを夫々分割するために、下部誘電体層４８上の所定部分に形成された隔壁４６Ｂと、隔壁４６Ｂの側面及び各隔壁４６Ｂ間に露出された下部誘電体層４８上に所定厚さに形成されて、紫外線の供給を受けて、夫々赤色、緑色、青色の可視光を放出する蛍光層４７とを備えている。上部ガラス基板４３は、アドレス電極４９と垂交するように上部ガラス基板４３上の所定部分に形成されるスキャン電極４１及び共通維持電極４２と、スキャン電極４１と共通維持電極４２が形成された上部ガラス基板２の全面に形成される上部誘電体層４４と、上部誘電体層４４を保護するために上部誘電体層４４上に形成される保護層４５とを備えている。スキャン電極４１は、アドレス電極４９と直交するように上部ガラス基板４３上の所定部分に形成される透明電極４１Ａと、その透明電極４１Ａ上の所定部分に形成されるバス電極（金属バス電極）４１Ｂとから構成されている。共通維持電極４２は、隣接した放電セルと共通に使用される維持電極であり、アドレス電極４９と直交するように上部ガラス基板４３上の所定部分に形成される透明電極４２Ａと、透明電極４２Ａ上の所定部分に形成されるバス電極４２Ｂとから構成されている。このとき、隣接したセルと共通に使用される透明電極４２Ａは隔壁４６Ｂの上に対応する部分に形成される。また、共通維持電極４２のバス電極４２Ｂは、隔壁４６Ｂと平行な方向に形成されて、双方のセルに跨って配置された透明電極４２Ａの中心部に沿って形成される。
【００２０】
以下、本発明に係るプラズマディスプレイパネルの電極及び隔壁構造に対して説明する。
【００２１】
まず、本参考例に係るＰＤＰで図面上上下に相互隣接した各放電セル（Ｃｅｌｌ １、Ｃｅｌｌ ２）は、共通維持電極４２のバス電極４２Ｂを共有する。即ち、各放電セル（Ｃｅｌｌ 1、Ｃｅｌｌ ２）は、上部ガラス基板４３上に形成されたスキャン電極４１及び共通維持電極４２と、下部ガラス基板５０上に形成されるアドレス電極４９とを含んでいる。このとき、スキャン電極４１は、透明電極４１Ａと透明電極４１Ａ上に形成されるバス電極４１Ｂとから構成されている。また、共通維持電極４２は、透明電極４２Ａと透明電極４２Ａ上に形成されるバス電極４２Ｂとから構成されている。スキャン電極４１と共通維持電極４２を維持電極対４１、４２と称す。
【００２２】
透明電極４１Ａ、４２Ａは、透明伝導性物質のインジウム−スズ酸化物（ＩＴＯ）等で形成され、バス電極４１Ｂ、４２Ｂは、透明電極４１Ａ、４２Ａの抵抗成分を補償するためにクロム（Ｃｒ）のような金属物質で形成される。
【００２３】
一方、上部誘電体層４４と保護層４５は、維持電極対４１、４２の形成された上部ガラス基板４３の上に順次形成される。上部誘電体層４４には、プラズマが放電する時に発生された壁電荷が蓄積される。保護層４５は、スパッタリング現象による上部誘電体層４４の損傷を防止し、２次電子の放出効率を高める。保護層４５としては酸化マグネシウム（Ｍｇｏ）が利用される。
【００２４】
アドレス電極４９上には、同様に、壁電荷蓄積のための下部誘電体層４８が形成される。また、下部誘電層４８上にはウエルタイプ、すなわちセルごとに区切った格子状の隔壁４６が形成される。このとき、隔壁４６は、画素の列ごとに形成される第１隔壁４６Ａと、第１隔壁４６Ａと交差されるように画素の行ごとに形成されて、バス電極４２Ｂと対応するように形成される第２隔壁４６Ｂとから構成されている。なお、本参考例は図示のように、共通維持電極４２を図面上上下に隣接するセルが共通に利用するので、１つのセル内に維持電極対を配置するために２つの共通維持電極４２の間に２つのスキャン電極４１が配置されており、第２隔壁４６Ｂは共通維持電極４２のバス電極４２Ｂ１に対応させて設けると共に、スキャン電極どうしの間にも設けられている。
【００２５】
下部誘電層４８とウエルタイプの隔壁４６Ｂの表面には蛍光層４７が塗布される。ウエルタイプの隔壁４６Ｂは、放電空間で発生された紫外線及び可視光線が隣接した各放電セルに漏洩されないように紫外線及び可視光線をセルごとで遮断する。蛍光層４７は、プラズマが放電する時に発生された紫外線により励起されて、赤色、緑色及び青色中何れか一つの可視光線を発生する。上部ガラス基板４３及び下部ガラス基板５０と隔壁４６Ｂ間に設けられた放電空間には、ガス放電のための不活性ガスが注入される。
【００２６】
このように、本発明の第１参考例におけるウエルタイプの隔壁４６は、維持電極対４１、４２と垂直方向に形成される第１隔壁４６Ａと、第１隔壁４６Ａと直交するように形成される第２隔壁４６Ｂとから構成されている。すなわち、１つのセルが双方の隔壁で他のセルから分離されている。
【００２７】
ウエルタイプの隔壁４６の第２隔壁４６Ｂと対応するバス電極４２Ｂを間に置いて放電セル（Ｃｅｌｌ 1、Ｃｅｌｌ ２）が隣接している。即ち、図面上一番上である第１番目のスキャン電極４１を有する第１番目の放電セル（Ｃｅｌｌ 1）は、第１番目の共通維持電極４２のバス電極４２Ｂを間にして、第２番目のスキャン電極４１−１を有する第２放電セル（Ｃｅｌｌ ２）と隣接している。即ち、ｋ（ただ、ｋは１以上の奇数）番目の放電セルの第ｋ番目のスキャン電極と、隣接する第ｋ＋１番目の放電セル（ｋ＋１）の第ｋ＋１番目のスキャン電極（Ｋ＋１）間に第（ｋ＋１）／２番目の共通維持電極（（Ｋ＋１）／２）が形成される。したがって、偶数番目のセルとその次の奇数番目のセルとの間には共通維持電極は形成されない。
【００２８】
共通維持電極４２の共有バス電極４２Ｂは透明電極４２Ａの所定部分に形成される。中央であることが望ましい。透明電極４２Ａの第１の側の面４６Ａ１は第ｋ番目のスキャン電極と対向するように形成され、透明電極４２Ａの第２の側の面４６Ａ２は第Ｋ＋１番目のスキャン電極（Ｋ＋１）と対向するように形成される。このとき、スキャン電極４１の幅は、共通維持電極４２の透明電極４２Ａの第１または第２の側の面４２Ａ１、４２Ａ２の幅と同じであり、共有バス電極４２Ｂの幅は、ＰＤＰがＸＧＡ級（１３６５×７６８ｍｍ）の場合、約７０μｍが好ましい。即ち、透明電極４１Ａの幅は透明電極４２Ａの幅の１／２である。
【００２９】
透明電極４１Ａ、４２Ａの構造は多様な形態に変更することができる。変形された透明電極の構造に対し、図３を用いて説明する。図３は、図１及び図２に示した透明電極の他の形態を示した平面図である。図示されたように、透明電極４１Ａ、４２Ａ上に空隙部５１を形成することで、図２に示した透明電極より相対的に面積を減少させて、消費電力を減らしている。
【００３０】
これらの参考例は、相互に隣接している放電セル（Ｃｅｌｌ 1、Ｃｅｌｌ ２）は、共通維持電極４２のバス電極４２Ｂを相互共有するため、隣接した放電セル（Ｃｅ１１１、Ｃｅｌｌ ２）内に形成された一つの共通維持電極４２には所定の双方のセルに共通の電圧が印加されるが、隣接した放電セル（Ｃｅ１１１、Ｃｅｌｌ ２）内に形成されている二つのスキャン電極４１、４１−１は夫々独立的に存在するため、独立的に形成された二つのスキャン電極４１、４１−１は、異なる電圧を加えることができる。同様に、その印加時間をも変えることもできる。したがって、スキャン時間をも変えることができる。
【００３１】
第ｋ番目のアドレス電極と第ｋ番目の維持電極間の対向放電により選択された後、各維持電極対（Ｋ、（Ｋ＋１）／２）間の面放電により放電を維持することになる。また、第ｋ番目のアドレス電極と第Ｋ＋１番目のスキャン電極（Ｋ＋１）間の対向放電により選択された後は、各維持電極対（（Ｋ＋１）、（Ｋ＋１）／２）間の面放電により放電を維持する。
【００３２】
このような放電セルにおいては、上記のようにして維持放電の時に発生される紫外線により蛍光層４７から光が放出されて可視光がセルの外部に放出される。よって、従来同様各放電セルは、放電が維持される期間を調節して階調を実現することができ、それらの放電セルがマトリックス状に配列されたＰＤＰで画像を表示できる。
【００３３】
このように、本発明に係るＰＤＰにおいては、相互隣接した放電セルが一つの共通維持電極４２を共有する。即ち、スキャン電極４１がＭ個形成されると、共通維持電極４２はＭ／２個形成される。Ｍ／２個形成される共通維持電極４２と連結されるパッド（図示せず）の出力端子数は半分に減少するため、アラインが容易になる。
【００３４】
また、ウエルタイプの隔壁４６Ｂ上に形成されるバス電極４２Ｂにより一つの放電セルを通るバス電極が２個から１個に減少することで、相対的に開口率が増加し、ＰＤＰの輝度及び効率が増加する。また、隔壁がそれぞれのセルごとに形成されるので、クロストーク現象が減少する。
【００３５】
第２参考例
図４は、本発明に係るプラズマディスプレイパネル（ＰＤＰ）の第２参考例の構造を示した平面図である。即ち、図４は、プラズマディスプレイパネルにおける維持電極対の構造と隔壁構造を示した平面図である。電極及び隔壁以外の構成は図２の構成と同様であるため、これに対する説明は省略する。
【００３６】
図示されたように、本発明に係るＰＤＰの第２参考例においては、各セルの中央部分に位置するスキャン電極７１と、横隔壁７０Ａに重畳される維持電極７２とからなる維持電極対７１、７２を備えている。スキャン電極７１は、上部ガラス基板４３上に形成される透明電極７１Ａと、透明電極７１Ａ上の所定部分に形成されるバス電極７１Ｂとから構成されている。維持電極７２は、上部ガラス基板４３上に形成される透明電極７２Ａと、透明電極７２Ａ上の所定部分に形成され、横隔壁７０Ａの上部に重畳されるバス電極７２Ｂとから構成されている。
【００３７】
維持電極対７１、７２のスキャン電極７１には、パネル走査のためのスキャン信号と放電維持のための維持信号が供給され、維持電極（共通維持電極４２を意味する）７２には放電維持のための維持信号が供給される。スキャン電極７１のバス電極７１Ｂはセルの中央部分に位置し、維持電極７２のバス電極７２Ｂはセルの一方の縦隔壁７０Ｂに対応するように位置する。また、バス電極７１Ｂ、７２Ｂは、導電性の高い金属物質、例えば、銀（Ａｇ）や銅（Ｃｕ）で形成される。維持電極対７１、７２の各透明電極７１Ａ、７２Ａはセル領域内で相互対向するように形成される。
【００３８】
セル領域を区画するように形成される格子状の隔壁７０は、横方向に形成された横隔壁７０Ａと縦方向に形成された縦隔壁７０Ｂとが夫々交差することで、各セルが４面の隔壁に囲まれる。本発明に係るＰＤＰの第２参考例においては、先の参考例のように二つのセルが一つの維持電極を共用するのではなく、それぞれのセルごとに電極対が存在するので、従来のＰＤＰのパターンを若干変更した維持電極対７１、７２のパターンを有する。そのため、追加工程なしに、従来の維持電極対を製造するためのマスクのパターンを修正するだけで、従来の製作工程に従って製作が可能になる。
【００３９】
以下、図４に示されたプラズマディスプレイパネルにおける維持電極対の構造と隔壁構造に対し、図５を用いて説明する。
【００４０】
図５は、図４に示されたプラズマディスプレイパネルの構造を示した断面図で、特に、図４に示されたプラズマディスプレイパネルにおける維持電極対の構造と隔壁構造を示した断面図である。
【００４１】
図示されたように、本発明に係るＰＤＰの第２参考例で採用される維持電極７２のバス電極７２Ｂは横隔壁７０Ａに重畳され、スキャン電極７１のバス電極７１Ｂはセルのほぼ中央部分に位置する。正確に中央である必要はない。即ち、一つのセル内には、光透過率を低下させる金属成分を有するバス電極７１Ｂは一つだけである。
【００４２】
例えば、従来のＰＤＰにおいては、一つのセル領域内に二つのバス電極が形成され、それら二つのバス電極により一つのセル領域の放電空間内で放出される可視光の一部が遮断されていた。それに対して、本発明に係るＰＤＰの第２参考例においては、一つのセル領域内に一つのバス電極のみが形成されるため、従来のＰＤＰより多量の可視光を画像表示領域に放出することができる。即ち、一つのセル領域の放電空間から画像表示領域に放出される可視光の量を増加させることができる。
【００４３】
従って、本発明に係るＰＤＰの第２参考例は輝度特性が向上する。また、従来のＰＤＰに比べて同じ電力を消耗しても、輝度特性が向上しているため、効率特性が向上しているということができる。
【００４４】
また、本発明に係るＰＤＰの第２参考例においては、電極配置によって一つの放電セル内で起きる維持電極対７１、７２間の主放電以外に、隣接したセルの境界部で一つのセルのスキャン電極７１とその一つのセルに隣接したセルの維持電極７２の間で誤放電が起きることもある。その誤放電を防止するためには、一つのセルのスキャン電極７１と隣接したセルの維持電極７２間のギャップ（Ｇ２）を一つのセル内の維持電極対７１、７２のギャップ（Ｇ１）より広くする必要がある。通常、ギャップ（Ｇ２）のギャップはギャップ（Ｇ１）の１．５倍〜２倍程度が好ましい。
【００４５】
また、横隔壁７０Ａに一部分が重畳される維持電極７２の透明電極７２Ａは、横隔壁７０Ａに重畳され、隣接したセル内に位置しないように形成する。一方、維持電極７２のバス電極７２Ｂは、横隔壁７０Ａの一方側の上部のみに対応するように形成される。
【００４６】
ＰＤＰに駆動電圧が印加される時、バス電極７１Ｂ、７２Ｂ付近には高い電界が発生するため、スキャン電極７１のバス電極７１Ｂをセルの中央方向に偏るように形成する。即ち、スキャン電極７１のバス電極７１Ｂが一つのセルの中心部分近くに配置されると、一つのセルに隣接したセルのバス電極７２Ｂと距離が遠ざかるため、誤放電の発生確率が減少する。また、スキャン電極７１のバス電極７１Ｂをセルの中央部分に偏るように形成すると、アドレス電極４９が放電する時、隔壁に形成される壁電荷の形成が容易になり、アドレス電極４９に印加される駆動電圧であるアドレス電圧が低くなる。
【００４７】
また、セルの中央部分に形成されるスキャン電極７１のバス電極７１Ｂにより放電セルはほぼ対称になり、従来の共通維持電極を採用したＰＤＰと同様に、二つのセルが一つに見える現象が防止される。すなわち、本発明に係るＰＤＰの第２参考例は、パネルの視覚的特性が一層向上する。
【００４８】
従って、本発明の第２参考例においては、維持電極７２のバス電極７２Ｂを横隔壁７０Ａの上側に対応するように形成し、スキャン電極７１のバス電極７１Ｂをセルの中央部分に位置するように形成することで、一つのセル内に位置するバス電極の数を減少させることができる。したがって、一つのセル内に位置するバス電極の数を減少させて、ＰＤＰの輝度及び効率特性を向上させることができる。また、隣接した二つのセルが一つのセルに見えて、不均一な画像が表示される現象を防止することができる。
【００４９】
第１実施形態
図６は、本発明に係るプラズマディスプレイパネルの第１実施形態の構造を示した断面図である。図６は、プラズマディスプレイパネルの維持電極対の構造と隔壁構造を示した断面図である。本発明に係るＰＤＰの第１実施形態においては、従来のＰＤＰに比べて変形されたパターンを有する維持電極対８１〜８３で構成されている。したがって、追加工程なしに、維持電極対を製造するためのマスクのパターンを修正するだけで、従来の製作工程によって製作が可能になる。
【００５０】
図６に示したように、本発明に係るＰＤＰの第１実施形態においては、上部ガラス基板４３上に形成されて、横隔壁８０Ａの上部に対応するように形成されるスキャン電極８２と、スキャン電極８２の下に一部を絶縁材を介して重畳させるように形成されるスキャン電極８１と、上部ガラス基板４３上に形成されて、横隔壁８０Ａの上部に対応するように形成される共通維持電極８３とを備えている。この時、スキャン電極８２は、上部ガラス基板４３上に形成される透明電極８２Ａと、その透明電極８２Ａ上の所定部分に形成されるバス電極８２Ｂとから構成されている。維持電極８３は、上部ガラス基板４３上に形成される透明電極８３Ａと、その透明電極８３Ａ上の所定部分に形成されて、横隔壁８０Ａの上側に重畳されるバス電極８３Ｂとから構成されている。また、スキャン電極８２の下に一部分が重畳されるように形成されるスキャン電極８１は、隔壁８０Ａとスキャン電極８２の間に形成されて、透明電極８１Ａと、その透明電極８１Ａ上の所定部分に形成されるバス電極８１Ｂとから構成されている。即ち、ＰＤＰ内に位置する各バス電極８１Ｂ、８２Ｂ、８３Ｂは、一つのセルの放電空間内に形成されずに、各セル間に形成された隔壁８０Ａの上部に対応するように位置する。
【００５１】
維持電極対８〜８３のスキャン電極８１、８２には、水平に隣接した複数のセルで構成される水平ラインの一つを選択するようにパネル走査のためのスキャン信号が供給されると共に放電維持のための維持信号が供給される。共通維持電極８３には、選択された水平ラインの放電維持のための維持信号が供給される。維持電極対８１〜８３のバス電極８１Ｂ〜８３Ｂは、セルの両側縁部、即ち、隔壁８０Ａの上部に位置し、導電性の高い金属物質、例えば、銀（Ａｇ）や銅（Ｃｕ）で形成される。維持電極対８１〜８３の透明電極８１Ａ〜８３Ａは、セル領域内で相互対向するように形成される。
【００５２】
セル領域を区画するように形成される格子状の隔壁は、横方向に形成される横隔壁８０Ａと縦方向に形成される縦隔壁（図示せず）とが夫々交差して形成されることで、各セルが４面の隔壁で囲まれる。即ち、本発明に係るＰＤＰの第１実施形態においては、共通維持電極８３及び重畳されたスキャン電極８１、８２を採用することで、維持電極対８１〜８３の全ての金属バス電極８１Ｂ〜８３Ｂは、横隔壁８０Ａの上部に重畳されるように形成される。そのため一つのセル内には、光透過率の優秀な各透明電極８１Ａ〜８３Ａのみが位置するようになる。
【００５３】
例えば、従来のＰＤＰにおいては、一つのセル領域内に二つのバス電極が形成され、それら二つのバス電極により、一つのセル領域の放電空間内で放出される可視光の一部が遮断されていた。一方、本発明に係るＰＤＰの第１実施形態においては、一つのセル領域内にバス電極を形成せず、バス電極を隔壁の先端部に対応するように形成することで、従来のＰＤＰより多量の可視光を画像表示領域に放出することができる。即ち、一つのセル領域の放電空間から画像表示領域に放出される可視光の量を増加させることができる。
【００５４】
従って、本発明に係るＰＤＰの第１実施形態は輝度特性がより向上する。また、従来のＰＤＰに比べて同じ電力を消耗しても、輝度特性が向上するため、効率特性が向上する。
【００５５】
また、本発明に係るＰＤＰの第１実施形態においては、従来のように共通維持電極を採用し、スキャン電極８１、８２を重畳して形成することで、隔壁を厚く形成せずにも、従来の共通維持電極対を採用したＰＤＰで隣接したセルが一つのセルに見えるという短所をなくすことができる。即ち、横隔壁をすべて厚く形成した従来ＰＤＰの他の形態に比べて横隔壁８０Ａを厚く形成する必要がないため、セルの有効体積を減少させずに、セルが均一に見える。よって、スキャン電極８１、８２と共通維持電極８３に隣接した横隔壁８０Ａを最小限に必要な厚さに形成して、スキャン電極８１及び共通維持電極８３間の静電容量の増加を最小化することができる。
【００５６】
また、本発明に係るＰＤＰの第１実施形態においては、スキャン電極８１、８２と共通維持電極８３のバス電極８１Ｂ〜８３Ｂを横隔壁８０Ａの上側に重畳されるように形成することで、セルが不均一に見える現象を防止して、ＰＤＰの表示品質を向上させ、静電容量の増加及びセル大きさの減少を最小化することができる。
【００５７】
第２実施形態
図７は、本発明に係るプラズマディスプレイパネルの第２実施形態の構造を示した断面図である。即ち、図７は、本発明に係るプラズマディスプレイパネルの第２実施形態の隔壁及び維持電極対を示した断面図である。
【００５８】
このような本発明に係るＰＤＰの第２実施形態においては、従来のＰＤＰに比べて変形されたパターンを有する維持電極対９１〜９３で構成されている。よって、追加工程なしに、維持電極対を製造するためのマスクのパターンを修正するだけで、従来の製作工程によって製作が可能になる。
【００５９】
図７に示したように、本発明に係るＰＤＰの第２実施形態においては、上部ガラス基板４３に形成されて、横隔壁８０Ａの上に対応するように形成されるスキャン電極９２と、そのスキャン電極９２の下に一部分が重畳されるように形成されるスキャン電極９１と、上部ガラス基板４３上に形成されて、横隔壁８０Ａの上に対応するように形成される共通維持電極９３とを備えている。
【００６０】
この時、スキャン電極９２は、上部ガラス基板４３上に形成される透明電極９２Ａと、その透明電極９２Ａ上の所定部分に形成されるバス電極９２Ｂとから構成されている。維持電極９３は、上部ガラス基板４３上に形成される透明電極９３Ａと、その透明電極９３Ａ上の所定部分に形成されて、横隔壁８０Ａの上部に重畳されるバス電極９３Ｂとから構成されている。また、スキャン電極９２の下に絶縁材を介して一部分が重畳されるように形成されるスキャン電極９１は、隔壁８０Ａとスキャン電極９２の間に形成されて、透明電極９１Ａと、その透明電極９１Ａ上の所定部分に形成されるバス電極９１Ｂとから構成されている。この時、スキャン電極９２のセル１内の維持電極９３との電極ギャップＧ１はセル２の同様の電極ギャップＧ２より大きく形成される。
【００６１】
維持電極対９１〜９３のスキャン電極９１、９２には、水平に隣接した複数のセルで構成される水平ラインを選択するようにパネル走査のためのスキャン信号が供給されると共にその後の放電維持のための維持信号が主に供給される。共通維持電極９３には、選択された水平ラインの放電維持のための維持信号が主に供給される。維持電極対９１〜９３のバス電極９２Ｂ、９３Ｂは、セルの両側縁部に位置して、導電性の高い金属物質、例えば、銀（Ａｇ）や銅（Ｃｕ）で形成される。維持電極対９１〜９３の透明電極９１Ａ〜９３Ａは、セル領域内で相互対向するように形成される。
【００６２】
セル領域を区画するように形成される格子状の隔壁は、横方向に形成される横隔壁９０Ａと縦方向に形成される縦隔壁（図示せず）とが夫々交差して形成され、各セルが４面の隔壁で囲まれる。このように、本発明に係るＰＤＰの第２実施形態においては、共通維持電極９３及び重畳された各スキャン電極９１、９２を採用することで、維持電極対９１〜９３のバス電極９１Ｂ〜９３Ｂは、横隔壁８０Ａの上に重畳されるように形成されている。この時、スキャン電極９１は、横隔壁８１Ａとスキャン電極９２間に形成され、スキャン電極９１のバス電極９１Ｂは、横隔壁８１Ａと対応する位置に形成される。
【００６３】
従って、一つのセル内には、光透過率の優秀な透明電極９１Ａ、９２Ａ、９３Ａのみが位置するようになる。これによって、本発明に係るＰＤＰの第２実施形態においては、従来ＰＤＰのセル領域内に形成されるバス電極（金属バス電極）により遮断される可視光を画面表示領域に放出させることができる。即ち、ＰＤＰのセル領域内にバス電極を形成しないことで、可視光がバス電極により遮断されない。その結果、本発明に係るＰＤＰの第２実施形態は輝度特性が向上する。また、従来のＰＤＰに比べて同じ電力を消耗しても、輝度特性が向上するため、本発明に係るＰＤＰの第２実施形態は効率特性が向上する。
【００６４】
また、本発明に係るＰＤＰの第２実施形態においては、従来のように共通維持電極を採用し、スキャン電極９１のバス電極９１Ｂをスキャン電極９２と重畳して形成することで、隔壁を厚く形成する必要なしに、従来の共通維持電極対を採用したＰＤＰで隣接した各セルが一つのセルに見えるという短所をなくすことができる。即ち、従来の横隔壁をすべて厚く形成した従来のＰＤＰの他の形態に比べて、横隔壁８０Ａを厚く形成する必要がないため、セルの有効体積を減少させずに、セルが均一に見えるようにすることができる。
【００６５】
従って、本発明に係るＰＤＰの第２実施形態においては、セル２の電極９２、９３のギャップ（Ｇ２）を隣接したセル１の電極９２、９３ギャップ（Ｇ１）より小さく形成することで、セル１とセル２の電極間の有効誘電体の厚さの差を補償し、各セルの駆動電圧を同様にすることができる。第１実施形態においては、スキャン電極８１、８２が二つの層として形成されることで、セル１（Ｃｅｌｌ 1）のスキャン電極８２、維持電極８３及びアドレス電極４９間の有効誘電体の厚さがセル２（Ｃｅｌｌ ２）のスキャン電極８２、維持電極８３及びアドレス電極４９間の有効誘電体の厚さより小さく形成される。即ち、セル１の駆動電圧がセル２の駆動電圧より小さくなり、各セル毎に駆動電圧が夫々異なって、ＰＤＰの不均一を招き、ＰＤＰの表示品質及び効率特性を低下させる。
【００６６】
従って、本発明に係るＰＤＰの第２実施形態においては、電極間の有効誘電体の厚さを同様にするために、セル１の電極間のギャップ（Ｇ１）を隣接したセル２の電極間のギャップ（Ｇ２）より大きく形成する。また、スキャン電極９２と共通維持電極９３に隣接した横隔壁８０Ａを最小限に必要な厚さに形成することで、スキャン電極９２及び維持電極９３間の静電容量の増加を最小化することができる。また、スキャン電極９２と共通維持電極９３のバス電極９２Ｂ、９３Ｂを横隔壁８０Ａの上に重畳されるように形成することで、セルが不均一に見える現象を防止して、ＰＤＰの表示品質を向上させ、静電容量の増加及びセル大きさの減少を最小化することができる。
【００６７】
第３実施形態
図８は、本発明に係るプラズマディスプレイパネルの第３実施形態の構造を示した断面図である。即ち、図８は、本発明に係るプラズマディスプレイパネルの第３実施形態の隔壁及び維持電極対を示した断面図である。本発明に係るＰＤＰの第３実施形態においては、従来のＰＤＰに比べて変形されたパターンを有する維持電極対１０１〜１０４で構成されている。
【００６８】
従って、本発明に係るＰＤＰの第３実施形態においては、追加工程なしに、維持電極対を製造するためのマスクのパターンを修正するだけで、従来の製作工程によって製作が可能になる。
【００６９】
図８に示したように、本発明に係るＰＤＰの第３実施形態においては、上部ガラス基板４３上に形成されて、横隔壁８０Ａの上部に対応するように形成されるスキャン電極１０２と、そのスキャン電極１０２の下に一部分が絶縁材を介して重畳されるように形成されるスキャン電極１０１と、上部ガラス基板４３上に形成されて、横隔壁８０Ａの上に対応するように形成される維持電極１０４と、その維持電極１０４の下に一部分が絶縁材を介して重畳されるように形成される維持電極１０３とを備えている。
【００７０】
この時、スキャン電極１０２は、上部ガラス基板４３上に形成される透明電極１０２Ａと、その透明電極１０２Ａ上の所定部分に形成されるバス電極１０２Ｂとから構成されている。維持電極１０４は、上部ガラス基板４３上に形成される透明電極１０４Ａとその透明電極１０４Ａ上の所定部分に形成されて、横隔壁８０Ａの上に重畳されるバス電極１０４Ｂとから構成されている。また、スキャン電極１０２の下に一部分が重畳されるように形成されるスキャン電極１０１は、隔壁８０Ａとスキャン電極１０２の間に形成されて、透明電極１０１Ａと、その透明電極１０１Ａの上の所定部分に形成されるバス電極１０１Ｂとから構成されている。維持電極１０４の下に一部分が重畳されるように形成される維持電極１０３は、隔壁８０Ａと維持電極１０４の間に形成されて、透明電極１０３Ａと、その透明電極１０３Ａ上の所定部分に形成されるバス電極１０３Ｂとから構成されている。即ち、スキャン電極１０２と隔壁８０Ａの間にはスキャン電極１０１が位置し、維持電極１０４と隔壁８０Ａの間には維持電極１０３が位置する。したがって、スキャン電極１０１、１０２及び維持電極１０３、１０４の全てのバス電極１０１Ｂ、１０２Ｂ、１０３Ｂ、１０４Ｂが横隔壁８０Ａに重畳されるように形成されている。
【００７１】
維持電極対１０１〜１０４のスキャン電極１０１、１０２には、水平に隣接した複数のセルで構成される水平ラインを選択するようにパネル走査のためのスキャン信号が供給されると共にその後の放電維持のための維持信号が主に供給される。維持電極１０３、１０４には、選択された水平ラインの放電維持のための維持信号が主に供給される。維持電極対１０１〜１０４の金属バス電極１０１Ｂ〜１０４Ｂはセルの両縁部に位置し、導電性の高い金属物質、例えば、銀（Ａｇ）や銅（Ｃｕ）で形成される。維持電極対１０２〜１０３の透明電極１０２Ａ〜１０３Ａがセル領域内で相互に対向するように形成される。また、維持電極対１０１，１０４の透明電極１０１Ａ、１０４Ａもセル領域内で相互に対向するように形成される。
【００７２】
セル領域を区画するように形成される格子状の隔壁は、横方向に形成される横隔壁８０Ａと縦方向に形成される縦隔壁（図示せず）とが夫々交差して形成されることで、各セルが４面の隔壁で囲まれる。
【００７３】
以上説明したように、本発明に係るＰＤＰの第３実施形態においては、重畳された維持電極１０３、１０４及び重畳されたスキャン電極１０１、１０２を採用することで、維持電極対１０１〜１０４の全ての金属バス電極１０１Ｂ〜１０４Ｂは、横隔壁８０Ａの上部に重畳されるように形成される。
【００７４】
従って、一つのセル内には、光透過率の優秀な透明電極１０１Ａ、１０２Ａ、１０３Ａ、１０４Ａのみが位置するようになる。これによって、本発明に係るＰＤＰの第３実施形態においては、従来のＰＤＰのセル領域内に形成されるバス電極（金属バス電極）により遮断される可視光を外部に放出させることができる。即ち、ＰＤＰのセル領域内にバス電極を形成しないことで、可視光がバス電極により遮断されることはない。その結果、本発明に係るＰＤＰの第３実施形態は輝度特性が向上する。また、従来のＰＤＰに比べて同じ電力を消耗しても、輝度特性が向上するため、本発明に係るＰＤＰの第３実施形態は効率特性が向上する。
【００７５】
また、本発明に係るＰＤＰの第３実施形態においては、維持電極対１０１〜１０４の金属バス電極１０１Ｂ〜１０４Ｂを横隔壁８０Ａの上に重畳して形成することで、セルが不均一に見える現象をなくすことができる。即ち、隔壁を厚く形成しなくても、従来の共通維持電極対を採用したＰＤＰで相互隣接したセルが一つのセルに見える短所をなくすことができる。例えば、従来の横隔壁をすべて厚く形成した従来のＰＤＰに比べて横隔壁８０Ａを厚く形成する必要がないため、セルの有効体積を減少させずにセルが均一に見えるようにする。
【００７６】
さらに、本発明に係るＰＤＰの第３実施形態においては、各セルが同じ構造で配置された電極を有するため、各セルの駆動電圧も同じになる。即ち、スキャン電極１０１、１０２及び維持電極１０３、１０４が二つの層として形成されるため、セル２（Ｃｅｌｌ ２）のスキャン電極１０２、維持電極１０３及びアドレス電極４９間の有効誘電体の厚さとセル３（Ｃｅｌｌ３）のスキャン電極１０４、維持電極１０４及びアドレス電極４９間の有効誘電体の厚さと同様になる。
【００７７】
従って、本発明に係るＰＤＰの第３実施形態においては、スキャン電極１０１、１０２と維持電極１０３、１０４に隣接した横隔壁８０Ａを最小限必要な厚さで形成して、スキャン電極１０２及び維持電極１０４間の静電容量の増加を最小化することができる。また、スキャン電極１０１，１０２と維持電極１０３，１０４の金属バス電極１０１Ｂ〜１０４Ｂを横隔壁８０Ａに重畳されるように形成することで、セルが不均一に見える現象を防止して、ＰＤＰの表示品質を向上させ、静電容量の増加及びセル大きさの減少を最小化することができる。
【００７８】
【発明の効果】
以上説明したように、本発明に係るプラズマディスプレイパネルにおいては、金属バス電極を相互隣接した放電セルと共有されるように形成することで、共通維持電極の個数を半分に減らすことができるし、また、プラズマディスプレイパネルの共通維持電極の個数を半分に減らすことで、アラインが容易になるという効果がある。
【００７９】
また、プラズマディスプレイパネル内のセルの放電空間内に形成されて、可視光を遮断するバス電極の少なくとも一方を隔壁の先端部に対応するように形成することで、開口率が増加するようになり、ＰＤＰの輝度及び効率が上昇するという効果がある。
【００８０】
さらに、プラズマディスプレイパネルのセル領域内に位置する維持電極対の各金属バス電極中何れか一つを隔壁に重畳させて、他の一つの金属バス電極をセル中央部に位置させることで、従来の共通維持電極を採用したＰＤＰに比べてセルが不均一に見える現象を防止することができ、パネルの視覚的特性がより向上するという効果がある。
【００８１】
さらに、一つのセル内に位置される金属バス電極の数を減らすことで、ＰＤＰの輝度特性をより向上し得るという効果がある。
【００８２】
さらに、従来のＰＤＰと同じ電力を消耗しても、輝度特性が向上するため、効率特性を向上し得るという効果がある。
【００８３】
さらに、二つの層として形成されたスキャン電極と維持電極及び共通維持電極を採用することで、従来の共通維持電極を採用したＰＤＰに比べてセルが不均一に見える現象を防止することができ、また、二つの層として形成されたスキャン電極と維持電極及び共通維持電極を採用することで、静電容量の増加を最小化し得るという効果がある。
【００８４】
さらに、一つのセルに形成された各金属バス電極を隔壁上に重畳させて、スキャン電極と維持電極に隣接した横隔壁を最小限に必要な厚さで形成することで、スキャン電極及び維持電極間、または、維持電極対及びアドレス電極間の静電容量の増加及びセル大きさの減少を最小化し得るという効果がある。
【図面の簡単な説明】
【図１】  本発明に係るプラズマディスプレイパネル（ＰＤＰ）の第１参考例の構造を示した平面図である。
【図２】  図１に示したＡ−Ａ’を沿って切り取ったＰＤＰを示した断面図である。
【図３】  図１及び図２に示した透明電極の他の形態を示した平面図である。
【図４】  本発明に係るプラズマディスプレイパネル（ＰＤＰ）の第２参考例の構造を示した平面図である。
【図５】  図４に示したプラズマディスプレイパネルの構造を示した断面図である。
【図６】  本発明に係るプラズマディスプレイパネルの第１実施形態の構造を示した断面図である。
【図７】  本発明に係るプラズマディスプレイパネルの第２実施形態の構造を示した断面図である。
【図８】  本発明に係るプラズマディスプレイパネルの第３実施形態の構造を示した断面図である。
【図９】  従来３電極交流方式のＰＤＰの構造を示した図である。
【符号の説明】
４１：スキャン電極    ４２：共通維持電極
４３：上部ガラス基板  ４４：上部誘電体層
４５：保護層          ４６：隔壁
４７：蛍光層          ４８：下部誘電体層
４９：アドレス電極    ５０：下部ガラス基板
【図１】
0003647442.tif 000002
【図２】
0003647442.tif 000003
【図３】
0003647442.tif 000004
【図４】
0003647442.tif 000005
【図５】
0003647442.tif 000006
【図６】
0003647442.tif 000007
【図７】
0003647442.tif 000008
【図８】
0003647442.tif 000009
【図９】
0003647442.tif 000010